(57)【要約】【課題】二つのスペーサの互いに対向する一方の面と一方の面との間に抵抗シートを設けて二つの周波数帯の電磁波を吸収できるようにした電磁波吸収体において、周波数吸収特性のばらつきの少ない電磁波吸収体を提供する。【解決手段】二つの平板状のスペーサ２；３の互いに対向する一方の面と一方の面との間に抵抗部４を備えるとともに一方のスペーサ３の他方の面に反射部５を備えた電磁波吸収体において、抵抗部４が、面抵抗値３８０±６０Ω□の二つの抵抗シート８；８の重ね合わせにより形成されたことを特徴とする。【選択図】図１
2008218790.tif 000002
【特許請求の範囲】
【請求項１】
二つの平板状のスペーサの互いに対向する一方の面と一方の面との間に抵抗部を備えるとともに一方のスペーサの他方の面に反射部を備えた電磁波吸収体において、抵抗部が、面抵抗値３８０±６０Ω□の二つの抵抗シートの重ね合わせにより形成されたことを特徴とする電磁波吸収体。
【請求項２】
二つの平板状のスペーサの互いに対向する一方の面と一方の面との間に抵抗部を備えるとともに一方のスペーサの他方の面に反射部を備えた電磁波吸収体の製造方法において、面抵抗値３８０±６０Ω□の二つの抵抗シートを互いに重ね合わせることによって面抵抗値１９０±３０Ω□の抵抗部を形成したことを特徴とする電磁波吸収体の製造方法。
【請求項３】
二つの平板状のスペーサの互いに対向する一方の面と一方の面との間に、面抵抗値３８０±６０Ω□の二つの抵抗シートを互いに重ね合わせることによって形成された面抵抗値１９０±３０Ω□の抵抗部を設けるとともに、一方のスペーサの他方の面に反射部を設けることによって、二つの周波数帯の電磁波を吸収できる第１の電磁波吸収体を製造するとともに、上記スペーサとは別のスペーサの他方の面に反射部を設け、別のスペーサの一方の面に面抵抗値３８０±６０Ω□の抵抗シートを設けることによって、単一周波数帯の電磁波を吸収できる第２の電磁波吸収体を製造したことを特徴とする電磁波吸収体の製造方法。
【発明の詳細な説明】
【技術分野】
【０００１】
本発明は、周波数吸収特性のばらつきを少なくできる電磁波吸収体、及び、一種類の面抵抗値の抵抗シートを、二つの周波数帯の電磁波を吸収できる電磁波吸収体の製造と単一周波数帯の電磁波を吸収できる電磁波吸収体の製造とに共用可能とした電磁波吸収体の製造方法に関する。
【背景技術】
【０００２】
スペーサ、抵抗部、反射部を備えた電磁波吸収体が知られている（例えば、特許文献１，２，３参照）。
例えば、スペーサとしての二つの石膏ボードを用いて二つの周波数帯の電磁波を吸収させる電磁波吸収体を作る場合は、図４（ａ）に示すように、二つの石膏ボード５０；５１の互いに対向する一方の面と一方の面との間に抵抗部を形成する面抵抗値２０００±５００Ω□（単位面あたり抵抗）の抵抗シート５２を設け、一方の石膏ボード５０の他方の面に抵抗部を形成する面抵抗値２００±２０Ω□の抵抗シート５３を設け、他方の石膏ボード５１の他方の面に反射部を形成する金属膜５４を設ける。この際、石膏ボード５０；５１の厚さｄを２５ｍｍとすれば、５．２ＧＨｚ帯と２．４５ＧＨｚ帯との両方の周波数帯の電磁波を吸収できる電磁波吸収体となる。
また、図５（ａ）に示すように、二つの石膏ボード５０；５１の互いに対向する一方の面と一方の面との間に面抵抗値１９０±３０Ω□の抵抗シート５５を設け、他方の石膏ボード５１の他方の面に金属膜５４を設ける。この際、石膏ボード５０；５１の厚さｄを２５ｍｍとすれば、５．２ＧＨｚ帯と２．４５ＧＨｚ帯との両方の周波数帯の電磁波を吸収できる電磁波吸収体となる。
また、一つの石膏ボードを用いる場合は、石膏ボードの厚さｄを選択することで吸収対象周波数帯を選択できる。例えば、図４（ｂ）及び図５（ｂ）に示すように、石膏ボード６０の一方の面に面抵抗値３８０±６０Ω□の抵抗シート６１を設け、石膏ボード６０の他方の面に金属膜５４を設ける。この際、石膏ボード６０の厚さｄを９．５ｍｍとすれば、５．２ＧＨｚ帯の電磁波を吸収できる電磁波吸収体となり、石膏ボードの厚さｄを１９ｍｍとすれば、２．４５ＧＨｚ帯の電磁波を吸収できる電磁波吸収体となる。
ところで、図４（ａ）や図５（ａ）に示した二つの周波数帯の電磁波を吸収できる電磁波吸収体と、図４（ｂ）や図５（ｂ）に示した単一周波数帯の電磁波を吸収できる電磁波吸収体とを共に生産するに際しては、できるだけ部品数を減らしたい。しかしながら、図４（ａ）と図４（ｂ）とに示した電磁波吸収体を共に生産する際には、面抵抗値２０００±５００Ω□、面抵抗値２００±２０Ω□、面抵抗値３８０±６０Ω□の抵抗シート、即ち、３種類の抵抗シートを用意する必要がある。また、図５（ａ）と図５（ｂ）とに示した電磁波吸収体を共に生産する際には、面抵抗値１９０±３０Ω□、面抵抗値３８０±６０Ω□の抵抗シート、即ち、２種類の抵抗シートを用意する必要がある。つまり、一種類の面抵抗値の抵抗シートを、二つの周波数帯の電磁波を吸収できる電磁波吸収体の製造と単一周波数帯の電磁波を吸収できる電磁波吸収体の製造とに共用できない。
【特許文献１】特開２００２−２６５６８号公報
【特許文献２】特開２００４−３５６３２５号公報
【特許文献３】特開２００４−２７３８３１号公報
【発明の開示】
【発明が解決しようとする課題】
【０００３】
抵抗シートの面抵抗値は、箇所によってむらが生じるため、図４（ａ）や図５（ａ）に示した二つの周波数帯の電磁波を吸収できる電磁波吸収体のように、二つのスペーサの互いに対向する一方の面と一方の面との間に一つの抵抗シートを設ける構成の場合、場所によって周波数吸収特性にばらつきが生じる電磁波吸収体となってしまう。
また、上述したように、二つの周波数帯の電磁波を吸収できる電磁波吸収体と単一周波数帯の電磁波を吸収できる電磁波吸収体とを共に生産する際には、面抵抗値の異なる複数種類の抵抗シートを用意しなければならず、抵抗シートの製造や管理に手間がかかる。換言すれば、一種類の面抵抗値の抵抗シートを、二つの周波数帯の電磁波を吸収できる電磁波吸収体の製造と単一周波数帯の電磁波を吸収できる電磁波吸収体の製造とに共用できず、二つの周波数帯の電磁波を吸収できる電磁波吸収体と単一周波数帯の電磁波を吸収できる電磁波吸収体とが、一種類の面抵抗値の抵抗シートによって効率的に生産されていない。
本発明は、上記問題点に鑑み、二つのスペーサの互いに対向する一方の面と一方の面との間に抵抗シートを設けて二つの周波数帯の電磁波を吸収できるようにした電磁波吸収体において、周波数吸収特性のばらつきの少ない電磁波吸収体を提供する。
また、抵抗シートとして一種類の面抵抗値の抵抗シートを用いることによって、二つの周波数帯の電磁波を吸収できる電磁波吸収体と単一周波数帯の電磁波を吸収できる電磁波吸収体とを効率的に生産できるようにすることを目的とする。
【課題を解決するための手段】
【０００４】
本発明による電磁波吸収体は、二つの平板状のスペーサの互いに対向する一方の面と一方の面との間に抵抗部を備えるとともに一方のスペーサの他方の面に反射部を備えた電磁波吸収体において、抵抗部が、面抵抗値３８０±６０Ω□の二つの抵抗シートの重ね合わせにより形成されたことを特徴とする。
本発明による電磁波吸収体の製造方法は、二つの平板状のスペーサの互いに対向する一方の面と一方の面との間に抵抗部を備えるとともに一方のスペーサの他方の面に反射部を備えた電磁波吸収体の製造方法において、面抵抗値３８０±６０Ω□の二つの抵抗シートを互いに重ね合わせることによって面抵抗値１９０±３０Ω□の抵抗部を形成したことを特徴とする。
また、二つの平板状のスペーサの互いに対向する一方の面と一方の面との間に、面抵抗値３８０±６０Ω□の二つの抵抗シートを互いに重ね合わせることによって形成された面抵抗値１９０±３０Ω□の抵抗部を設けるとともに、一方のスペーサの他方の面に反射部を設けることによって、二つの周波数帯の電磁波を吸収できる第１の電磁波吸収体を製造するとともに、上記スペーサとは別のスペーサの他方の面に反射部を設け、別のスペーサの一方の面に面抵抗値３８０±６０Ω□の抵抗シートを設けることによって、単一周波数帯の電磁波を吸収できる第２の電磁波吸収体を製造したことも特徴とする。
【発明の効果】
【０００５】
本発明の電磁波吸収体によれば、抵抗部が、面抵抗値３８０±６０Ω□の二つの抵抗シートの重ね合わせにより形成されたことによって、抵抗部の面抵抗値をばらつきの少ない面抵抗値１９０±３０Ω□とでき、２．４５ＧＨｚ帯の電磁波と５．２ＧＨｚ帯の電磁波とを吸収できる周波数吸収特性のばらつきの少ない高品質の電磁波吸収体を得ることができる。
本発明の電磁波吸収体の製造方法によれば、２．４５ＧＨｚ帯の電磁波と５．２ＧＨｚ帯の電磁波とを吸収できる周波数吸収特性のばらつきの少ない高品質の電磁波吸収体を得ることができる。また、面抵抗値３８０±６０Ω□の抵抗シートを、２．４５ＧＨｚ帯の電磁波を吸収できる電磁波吸収体の製造と５．２ＧＨｚ帯の電磁波とを吸収できる電磁波吸収体の製造とに共用できるので、抵抗シートとして一種類の面抵抗値の抵抗シートを用いることによって、二つの周波数帯の電磁波を吸収できる電磁波吸収体と単一周波数帯の電磁波を吸収できる電磁波吸収体とを効率的に生産できる。
【発明を実施するための最良の形態】
【０００６】
図１は電磁波吸収体を示し、図２は電磁波吸収体の製造方法を示し、図３は一種類の抵抗シートを用いて形成された二種類の電磁波吸収体を示す。
【０００７】
図１に示すように、電磁波吸収体１は、第１スペーサ２、抵抗部４、第２スペーサ３、反射部５を備える。
第１スペーサ２と第２スペーサ３とが同一の矩形板状に形成される。第１スペーサ２及び第２スペーサ３の寸法は、例えば、縦１８２０ｍｍ、横９１０ｍｍ、厚さｄは２５ｍｍである。
【０００８】
図２に示すように、第１スペーサ２及び第２スペーサ３は、例えば、縦１８２０ｍｍ、横９１０ｍｍ、厚さ１２．５ｍｍに形成された石膏ボード６が２つ重ね合わされて形成される。
抵抗部４は、２つの抵抗シート８；８が重ね合わされて形成される。抵抗シート８は、例えば、ポリエチレンテレフタレート（ＰＥＴ）樹脂により形成された０．５ｍｍ程度の厚さのシートと、シートの片面に設けられた抵抗体とにより形成される。抵抗体は、例えば、シートの一方の面全体に、アルミニウム、銀、銅等の金属やカーボンを蒸着したり、塗布したりすることにより形成される。そして、抵抗シート８の面抵抗値は３８０±６０Ω□に形成される。
反射部５は、例えば、第２スペーサ３の他方の面全体に、蒸着あるいは塗布されて形成された金属膜、あるいは、アルミ箔，銅箔等の金属箔を貼り付けて形成された金属膜により形成される。
【０００９】
すなわち、電磁波吸収体１は、第１スペーサ２と第２スペーサ３の互いに対向する一方の面と一方の面との間に抵抗部４を備えるとともに第２スペーサ３の他方の面に反射部５を備えた構成である。抵抗部４は、面抵抗値３８０±６０Ω□に形成された抵抗体同士が互いに重ね合わされた２つの抵抗シート８；８により形成されたことによって、１９０±３０Ω□の面抵抗値を備える。
【００１０】
図２を参照し、電磁波吸収体１１の製造方法について説明する。
第１スペーサ２を形成する２つの石膏ボード６；６、第２スペーサ３を形成する２つの石膏ボード６；６、２つの抵抗シート８；８を用意する。第２スペーサ３を形成する一方の石膏ボード６の他方の面に反射部５を設けておく。２つの石膏ボード６；６を一方の面同士を重ねあわせた第１スペーサ２の一方の面と２つの石膏ボード６；６を一方の面同士を重ねあわせた第２スペーサ３の一方の面との間に、面抵抗値３８０±６０Ω□に形成された２つの抵抗シート８；８の抵抗体同士を重ね合わせて設置した状態で、これら積層された第１スペーサ２、抵抗部４、第２スペーサ３により形成された矩形体の角部に矩形体を貫通する貫通孔１５を形成し、第１スペーサ２の他方の面と第２スペーサ３の他方の面における貫通孔の周りにナット収納溝１６を形成しておく。そして、第１スペーサ２、抵抗部４、第２スペーサ３を貫通するように貫通孔１５にねじ棒１７を通し、ねじ棒１７の両端にナット１８を取付けてナット１８を収納溝１６内に収容して締結する。これにより、第１スペーサ２と第２スペーサ３との間に抵抗部４が挟まれた状態の電磁波吸収体１を形成できる。尚、２つの石膏ボード６；６同士や、第１スペーサ２の一方の面と一方の抵抗シート８の抵抗体を備えない面や、第２スペーサ３の一方の面と他方の抵抗シート８の抵抗体を備えない面とを予め接着しておくほうが作業をしやすい。
【００１１】
以上のように製造された電磁波吸収体１によれば、ナット１９の締結力によって、２つの抵抗シート８；８の面抵抗値３８０±６０Ω□の抵抗体同士が互いに接触し合って抵抗体のむらを互いに補い合うので、抵抗部４の面抵抗値のばらつきを少なくできる。従って、ばらつきの少ない面抵抗値１９０±３０Ω□の抵抗部４を形成でき、現在の無線ＬＡＮで使用されている２．４５ＧＨｚ帯の電磁波と５．２ＧＨｚ帯の電磁波とを吸収できる高品質の電磁波吸収体１１を得ることができる。
【００１２】
また、図３（ｂ）のように、スペーサとしての石膏ボード２０の厚さｄを９．５ｍｍとし、石膏ボード２０の一方の面に反射部５を設け、石膏ボード２０の他方の面に面抵抗値３８０±６０Ω□の抵抗シート８を設けることによって、５．２ＧＨｚ帯の電磁波を吸収できる電磁波吸収体１Ａを得ることができる。また、石膏ボード２０の厚さｄを１９ｍｍとし、石膏ボード２０の他方の面に反射部５を設け、石膏ボード２０の一方の面に面抵抗値３８０±６０Ω□の抵抗シート８を設けることによって、２．４５ＧＨｚ帯の電磁波を吸収できる電磁波吸収体１Ａを得ることができる。
【００１３】
最良の形態１によれば、第１スペーサ２及び第２スペーサ３の互いに対向する一方の面と一方の面との間に抵抗シートを設けた構成の電磁波吸収体１において、ナット１８の締結力で、２つの抵抗シート８；８の抵抗体同士を互いに接触させることによって、抵抗体のむらを互いに補い合わせることができて、抵抗部４の面抵抗値のばらつきを少なくできる。即ち、抵抗部４が、面抵抗値３８０±６０Ω□の二つの抵抗シート８；８の重ね合わせにより形成されたことによって、抵抗部４の面抵抗値をばらつきの少ない面抵抗値１９０±３０Ω□とでき、２．４５ＧＨｚ帯の電磁波と５．２ＧＨｚ帯の電磁波とを吸収できる周波数吸収特性のばらつきの少ない高品質の電磁波吸収体１を得ることができる。
【００１４】
また、面抵抗値３８０±６０Ω□の抵抗体を備えた一種類の抵抗シート８を用いて、二つの周波数帯の電磁波を吸収できる電磁波吸収体１と単一周波数帯の電磁波を吸収できる電磁波吸収体１Ａとを効率的に生産でき、抵抗シート８の製造や管理を容易とできる。
即ち、二つの平板状の第１；第２スペーサ２；３の互いに対向する一方の面と一方の面との間に、面抵抗値３８０±６０Ω□の二つの抵抗シート８；８を互いに重ね合わせることによって形成された面抵抗値１９０±３０Ω□の抵抗部４を設けるとともに、第２スペーサ３一方の他方の面に反射部５を設けることによって、二つの周波数帯の電磁波を吸収できる第１の電磁波吸収体１を製造できるとともに、第１；第２スペーサ２；３とは別のスペーサとしての石膏ボード２０の他方の面に反射部５を設け、石膏ボード２０の一方の面に面抵抗値３８０±６０Ω□の抵抗シート８を設けることによって、単一周波数帯の電磁波を吸収できる第２の電磁波吸収体１Ａを製造できる。
【産業上の利用可能性】
【００１５】
スペーサは、けい酸カルシウム成形板等、石膏以外の無機系材料により形成されたものでもよい。
【図面の簡単な説明】
【００１６】
【図１】電磁波吸収体を示す斜視図（最良の形態）。本発明の最良の形態による電磁波吸収体を示す斜視図。
【図２】電磁波吸収体の製造方法を示す図であり、（ａ）は電磁波吸収体の構成要素を分解して示した分解図、（ｂ）は電磁波吸収体の完成品を示す断面図（最良の形態）。
【図３】１種類の抵抗シートを用いて形成された２種類の電磁波吸収体を示し、（ａ）は二つの周波数帯の電磁波を吸収できる電磁波吸収体を示す図、（ｂ）は単一周波数帯の電磁波を吸収できる電磁波吸収体を示す図（最良の形態）。
【図４】従来の電磁波吸収体を示す図。
【図５】従来の電磁波吸収体を示す図。
【符号の説明】
【００１７】
１  電磁波吸収体、２  第１スペーサ、３  第２スペーサ、４  抵抗部、
５  反射部、８  抵抗シート。
【図１】
2008218790.tif 000003
【図２】
2008218790.tif 000004
【図３】
2008218790.tif 000005
【図４】
2008218790.tif 000006
【図５】
2008218790.tif 000007